(57)【特許請求の範囲】
【請求項１】
独立気泡のプラスチックマットの両面に感圧型接着剤層を形成した感圧型接着シートの片面に、可撓性を有するステンレス薄板を接合し、このステンレス薄板の表面に、電柱情報をドット状の明暗模様で表示した二次元デジタルデーターコードと電柱番号を表示した表示面を形成し、前記二次元デジタルデーターコードが、暗色ドット部分をレーザー焼付加工により形成し、白色ドット部分を、前記ステンレス薄板を露出させて形成したことを特徴とする電柱表示プレート。
【請求項２】
プラスチックマットの厚さが０．５〜５mmで、ステンレス薄板の厚さが０．０１〜０．１mmで形成したことを特徴とする請求項１記載の電柱表示プレート。
【請求項３】
表示面の電柱番号が、接着剤を塗布したプラスチックシートを所定の形状に切り抜いたカットシート、またはレーザー焼付加工により形成されていることを特徴とする請求項１記載の電柱表示プレート。
【発明の詳細な説明】
【０００１】
【発明の属する技術分野】
本発明は電力線や電話線、電灯線などを支持する電柱に取付ける電柱表示プレートに関するものである。
【０００２】
【従来の技術】
電力線や電話線、電灯線などを支持する電柱には、会社マークや電柱番号などを表示した電柱表示プレートが取付けられている。従来の電柱表示プレート１は図４および図５に示すように、アルミニウム板２を型押成形して会社マーク３や電柱番号４などを表示して、表面を塗装し、このアルミニウム板２の左右両側にバンド挿通孔５、５を開孔した構造をなしている。この電柱表示プレート１を電柱６に取付ける場合、ブリキバンド７の一端を電柱表示プレート１の片側のバンド挿通孔５に通して折返し、ここを止め具８で固定してから、ブリキバンド７を電柱６に巻き付け、ブリキバンド７の他端をバンド挿通孔５に通して折返して、ここを止め具８で固定している。
【０００３】
しかしながら従来の電柱表示プレート１は、図５に示すように電柱６に取付けた状態でブリキバンド７の両側をバンド挿通孔、５、５に通して折返して止め具８、８で固定した端部７ａ、７ａが手前側に露出しているため、作業者が電柱６を昇降する時に、端部７ａを身体に引っ掛けて傷付けてしまうことがあり危険であった。また電柱表示プレート１は電柱６の高い位置に取付けられるため、高所での取付け作業が面倒であり、またブリキバンド７は長期間使用しているうちに錆びて電柱表示プレート１が脱落する恐れもあった。また従来の電柱表示プレート１はアルミニウムの厚板を型押成形して会社マーク３や電柱番号４などを表示しているため、押し金型の種類が限定され、また細かい文字や図形などの成形ができず表示項目が限られてしまう問題があった。
【０００４】
【発明が解決しようとする課題】
本発明は上記欠点を除去し、多くの項目を表示できると共に、電柱への取付けが容易で、電柱を昇降する際にも作業者が引っ掛けて怪我することなく安全で、しかも長期間の耐久性に優れた電柱表示プレートを提供するものである。
【０００５】
【課題を解決するための手段】
本発明の請求項１記載の電柱表示プレートは、独立気泡のプラスチックマットの両面に感圧型接着剤層を形成した感圧型接着シートの片面に、可撓性を有するステンレス薄板を接合し、このステンレス薄板の表面に、電柱情報をドット状の明暗模様で表示した二次元デジタルデーターコードと電柱番号を表示した表示面を形成し、前記二次元デジタルデーターコードが、暗色ドット部分をレーザー焼付加工により形成し、白色ドット部分を、前記ステンレス薄板を露出させて形成したことを特徴とするものである。
【０００６】
本発明の電柱表示プレートを取付ける場合、先ず電柱の取付面を清掃してから、下地プライマーを噴射して表面を平滑にする。この後、裏面の剥離紙を剥して感圧型接着剤層を露出させ、ここを電柱の取付面に沿って湾曲させながら圧着して取付ける。電柱表示プレートは屋外の電柱に取付けられ、電柱とステンレス薄板はその熱膨張が異なるが、この間に介在させたプラスチックマットが熱膨張差を吸収するので剥離を防止することができる。またプラスチックマットは独立気泡のプラスチックで形成されているので、ここに雨水が浸入せず剥離も防止できる。またステンレス薄板は耐食性が優れ、この表面に設けた表示面は、接着剤を塗布したカットシートを貼付したもの、またはレーザー焼付加工により形成されているので長期間剥離することなく耐久性に優れている。
【０００７】
また表示面に形成した二次元デジタルデーターコードは、四角形状をなす枠の内側に、ドット状の明暗模様によるデジタルデーターを二次元的に表示したもので、縞状ストライプによる一次元バーコードに比べて、単位面積当たりのデーター量が多く、多量の情報を表示することができる。このため作業者が電柱表示プレートを取付けた電柱を巡視する場合、スキャナーを持って、電柱表示プレートに表示された二次元デジタルデーターコードを読み取ることにより、電柱情報や点検の確認を行なうことができる。また二次元デジタルデーターコードは、 360度どの方向からもスキャナーで読み取ることができ、コードの一部が破損したり汚れたりしていてもデーターを回復できる機能を有し、またデーターを暗号化することにより情報を秘密裏に管理することができる。
【０００８】
更にこの二次元デジタルデーターコードは、暗色ドット部分を黒色、茶色、紺色、赤色などに形成し、白色ドット部分をステンレス薄板を露出させて形成することができるので耐食性にすぐれ長期間にわたって確実に読み取ることができる。
【０００９】
また請求項２記載の電柱表示プレートは、プラスチックマットの厚さが０．５〜５mmで、ステンレス薄板の厚さが０．０１〜０．１mmで形成したことを特徴とするものである。
【００１０】
本発明においてプラスチックマットの厚さを０．５〜５mmの範囲としたのは、その厚さが０．５mm未満では、電柱表示プレートを電柱に圧着する時に、プラスチックマットが薄いので電柱面の凹凸部に馴染みにくく、全面接着できず、また熱膨張差の吸収が少ないので剥離する恐れがある。また５mmを越えて厚くなると、電柱面に沿って曲げた時に割れが入り易く、ここから雨水が浸入する恐れがあるからである。また本発明においてステンレス薄板の厚さを０．０１〜０．１mmとしたのは、０．０１mm未満では衝撃が加わった時に割れ易く、また０．１mmを越えて厚くなると可撓性が悪くなり、電柱表示プレートが電柱面に密着しにくくなるからである。
【００１１】
また請求項３記載の電柱表示プレートは、表示面の電柱番号が、接着剤を塗布したプラスチックシートを所定の形状に切り抜いたカットシート、またはレーザー焼付加工により形成されていることを特徴とするもので、文字が鮮明で、長期間剥離することなく鮮明に識別することができる。
【００１２】
【発明の実施の形態】
以下本発明の実施の一形態を図１ないし図３を参照して詳細に説明する。図１は電柱表示プレート10の断面を示すものである。図において11は感圧型接着シートで、これは独立気泡のプラスチックマット12の両面に感圧型接着剤層13、13が形成されている。前記独立気泡のプラスチックマット12としては例えばアクリルフォームを用い、その厚さは０．５〜５mmの範囲が好ましい。
【００１３】
またプラスチックマット12の両側に設けた感圧型接着剤層13、13としては例えば合成ゴム系の接着剤で、金属やプラスチック、木材などに対して接着強度が高く、耐候性、絶縁性にも優れているものである。また感圧型接着シート11の背面側の感圧型接着剤層13には剥離紙15が取付けられ、前面側の感圧型接着剤層13にはステンレス薄板14が接合されている。
【００１４】
前記ステンレス薄板14の厚さは０．０１〜０．１mmが好ましく、このステンレス薄板14の表面には図２に示すように、プラスチックシートを所定の形状に切り抜いたカットシートで形成された表示面16が形成されている。これは例えば、会社マーク３と電柱番号４、電線名17、電線の種別18が形成されている。このカットシートは例えば塩化ビニールシートの裏面に接着剤を塗布し、これをカッティングマシーンで任意の形状に切り抜いて、これをステンレス薄板14の表面に貼付したものである。また、表示面16には電柱番号や電線名、電線の種別、電線の位置、電柱の設置年月日など種々の情報をドット状の明暗模様で示した二次元デジタルデーターコード19が形成されている。この場合、二次元デジタルデーターコード19は、レーザー焼付加工を行なって黒色ドット部分を形成し、白色ドット部分は黒色ドット部分の間から裏側のステンレス薄板14を露出させて形成している。
【００１５】
次に上記構成の電柱表示プレート10を電柱６に取付ける場合について説明するる。先ず電柱６の取付面に付着しているゴミや汚れを落としてから、下地プライマーを噴射して表面を平滑にする。この後、電柱表示プレート10の裏面の剥離紙15を剥して感圧型接着剤層13を露出させ、ここを図３に示すように電柱６の取付面に沿って湾曲させながら圧着する。このとき感圧型接着シート11は取付面に多少の凹凸があっても独立気泡のプラスチックマット12が取付面に馴染んで全面接着することができる。しかも感圧型接着剤層13は、圧着後、時間の経過と共に接着強度が向上する特性を有し、長期間に亘って高い接着強度を保持することができる。
【００１６】
また電柱表示プレート10は温度変化の激しい屋外の電柱６に取付けられ、電柱６とステンレス薄板14はその熱膨張が異なり、特に夏期にステンレス薄板14の熱膨張が大きいが、これを接合する感圧型接着シート11のプラスチックマット12が熱膨張差を吸収するのでステンレス薄板14の剥離を防止することができる。またプラスチックマット12は独立気泡のプラスチックで形成されているので、はっ水性に優れてここに雨水が浸入せず、雨水の凍結による剥離も防止できる。またステンレス薄板14は特に耐食性が優れ、この表面に設けた表示面16は、裏面に接着剤を塗布したカットシートを貼付しているので長期間剥離することなく鮮明に識別することができる。このような作用が複合して本発明の電柱表示プレート10は加速耐候性試験においても耐久性が５０年以上も保持できることが確認された。
【００１７】
また表示面16は、従来のアルミニウム板２の型押成形と異なり、カッティングマシーンで任意の形状に切り抜いたカットシートを貼付するので、細かい記号や文字を作成でき、特に二次元デジタルデーターコード19の黒色ドット部分は黒色のレーザー焼付加工をして形成し、白色ドット部分は暗色ドット部分の間から裏側のステンレス薄板14を露出させて立体的に形成されているので、耐久性に優れ長期間にわたって鮮明にデーターを読み取ることができる。なお二次元デジタルデーターコード19には電柱番号、電柱の種別、電柱の位置表示など種々の電柱情報が数字で表示されているので、点検作業をする作業者が携帯用のスキャナーを持って、電柱表示プレート10の二次元デジタルデーターコード19を読み取って記録することにより、種々の電柱情報や点検の確認を行なうことができる。
【００１８】
【発明の効果】
以上説明した如く本発明に係る電柱表示プレートによれば、ステンレス薄板の表面に、接着剤を塗布したプラスチックシートを所定の形状に切り抜いたカットシート、またはレーザー焼付加工により形成された表示面が設けられているので多くの項目を表示できると共に、感圧型接着シートで接着するだけで電柱への取付けが容易である。このため従来のブリキバンドで取付けた構造のように電柱を昇降する際にも作業者が引っ掛けて怪我することなく安全である。
【００１９】
しかもステンレス薄板の耐食性や可撓性、並びに感圧型接着シートの高い接着強度と、この中間に設けた独立気泡のプラスチックマットによる熱膨張差の吸収作用などにより長期間に亘って耐久性を保持することができる。また表示面にドット状の明暗模様による二次元デジタルデーターコードが形成されているので、一次元バーコードに比べて多くの電柱情報を表示でき、スキャナーにより情報の確認や点検の確認を行なうことができるなど種々の効果を有するものである。
【図面の簡単な説明】
【図１】  本発明の実施の一形態による電柱表示プレートの水平断面図である。
【図２】  図１に示す電柱表示プレートの正面図である。
【図３】  図１に示す電柱表示プレートを電柱に接着した状態を示す水平断面図である。
【図４】  従来のブリキバンドで取付ける電柱表示プレートの正面図である。
【図５】  図４に示す従来の電柱表示プレートをブリキバンドで電柱に取付けた状態を示す水平断面図である。
【符号の説明】
１    電柱表示プレート
２    アルミニウム板
３    会社マーク
４    電柱番号
５    バンド挿通孔
６    電柱
７    ブリキバンド
７ａ  端部
10    電柱表示プレート
11    感圧型接着シート
12    プラスチックマット
13    感圧型接着剤層
14    ステンレス薄板
15    剥離紙
16    表示面
17    電線名
18    電線の種別
19    二次元デジタルデーターコード
【図１】
0003757990.tif 000002
【図２】
0003757990.tif 000003
【図３】
0003757990.tif 000004
【図４】
0003757990.tif 000005
【図５】
0003757990.tif 000006